(57)【特許請求の範囲】
【請求項１】
移動通信端末装置用カバーであって、
柔軟性のある部材から成り、
前記移動通信端末装置の情報の入出力を行う情報入出力部の少なくとも一部が露出されるように、前記情報入出力部が配置された面と辺で接する側壁面を覆い、
露出される前記情報入出力部の周囲の前記移動通信端末装置に設けられたつめ受けに取付けられて、前記移動通信端末装置に取付けられる固定パネルにより固定される、
ことを特徴とする移動通信端末装置用カバー。
【請求項２】
露出される前記情報入出力部には、少なくとも、入力装置である操作手段の操作部分、及び、出力装置である表示手段の表示部分が含まれる、ことを特徴とする請求項１に記載の移動通信端末装置用カバー。
【請求項３】
前記移動通信端末装置は折りたたみ回動可能であり、
前記柔軟性のある部材は、前記折りたたみ回動の回動軸部を覆う部分に細長く開いた開口部を備え、
前記開口部から折りたたまれた状態の前記移動通信端末装置が挿抜される、ことを特徴とする請求項１又は２に記載の移動通信端末装置用カバー。
【発明の詳細な説明】
【技術分野】
【０００１】
本発明は、移動通信端末装置用カバーに係り、より詳しくは、移動通信端末装置と一体化された移動通信端末装置用カバーに関する。
【背景技術】
【０００２】
従来から、携帯電話をはじめとする移動通信端末装置が普及している。これらの移動通信端末装置では、壁紙や着信音など内部機能に基づく要素については、利用者が自らの趣味に合うように変更ができるように設計されている。最近では、内部機能に基づく要素のみならず、移動通信端末装置の外装部材に利用者がステッカーを貼ったり装飾を施すことも一般的であり、移動通信端末装置を構成する筐体の外側に、利用者が取付けたり取り外したりすることが可能な外装部材を有する携帯電話も存在する（特許文献１参照）。【０００３】
また、移動通信端末装置は電子情報機器であるため、落下等した場合の衝撃に弱いという特性を有する。しかし、衝撃を吸収するためのカバーを装着して使用するのが望ましいにも係わらず、衝撃を吸収するためのカバーを装着することは日本では一般的とはなっていない。その第一の理由としては、利用者の操作の容易さという観点からみると、取付けや取り外しに利用者の時間と手間を要するカバーの装着は好ましくないことが明白であることが挙げられる。また、第二の理由としては、柔軟部材を取り外し可能なカバーとして被覆に使用した場合は、キーパッド（入力装置、以下、「テンキー」ということがある。）や液晶画面（表示部）といった、移動通信端末装置の機能性が低下するということが挙げられる。具体的には、カバーがずれてキーパッド表面にかかることにより、液晶画面が利用者に見にくくなるといったことが挙げられる。
【特許文献１】特開２００３−３２４５１１
【発明の開示】
【発明が解決しようとする課題】
【０００４】
上述したように、移動通信端末装置に、利用者の個性に応じた様々な装飾が行われることが多いが、それらは柔軟性を有する部材で作られたものではなく、冷たく硬い無機質の部材、例えば、マグネシウム合金やプラスチック製であることが多かった。衝撃を吸収するために柔軟部材のカバーを移動通信端末装置に装着する場合には、上述したように被覆位置からずれ易く、移動通信端末の機能性を損なう可能性があった。【０００５】
本発明は、上記の事情を鑑みてなされたものであり、移動通信端末装置と一体感を持たせることにより、カバーがないときと同様の操作性を維持しつつ、衝撃があった場合の緩衝材となるとともに、柔らかい質感や高級感を出すことができる移動通信端末装置用カバーを提供することを目的とする。
併せて、本発明は、柔軟部材をカバーに使用した場合に、このカバーが被覆位置からずれて、移動通信端末装置の操作上不可欠な部材表面を覆い、これによって操作に支障をきたすことを防止して、移動体通信端末装置の機能性の低下を防ぐことをも目的とする。
【課題を解決するための手段】
【０００６】
本発明は、移動通信端末装置用カバーであって、柔軟性のある部材から成り、前記移動通信端末装置の情報の入出力を行う情報入出力部の少なくとも一部が露出されるように、前記情報入出力部が配置された面と辺で接する側壁面を覆い、露出される前記情報入出力部の周囲の前記移動通信端末装置に設けられたつめ受けに取付けられて、前記移動通信端末装置に取付けられる固定パネルにより固定される、ことを特徴とする移動通信端末装置用カバーである。
【０００７】
ここで「柔軟性のある部材」とは、各種の繊維で構成される織物及び編物を含む布帛や不織布、皮革等の部材を意味している。「情報入出力部」の具体例としては、入力を行うテンキーや表示出力を行うディスプレイがある。カメラ等も情報を入力するものであるため、「情報入出力部」に含まれる。「側壁面」とは、例えば、ディスプレイを情報入出力部とした場合には、移動通信端末装置の筐体のうちディスプレイを含む面を上面としたときに側面を構成する面を意味する。また、折りたたみ可能な筐体の場合には、その折りたたみ軸となっている側面は含まないこととする。「側壁面を覆い」とは、側壁面すべてを覆い、外部から側壁面が見えない状態であることをいう。【０００８】
本発明の移動通信端末装置用カバーでは、柔軟性のある部材で側壁面を覆い、情報入出力部の少なくとも一部が露出されている。また、露出される情報入出力部の周囲の移動通信端末装置に設けられたつめ受けに取付けられて、移動通信端末装置に取付けられる固定パネルにより当該カバーを固定する。したがって、この移動通信端末装置用カバーでは、被覆する部分を多くし、かつカバーと移動通信端末装置との空隙を少なくしつつ、カバーと移動通信端末装置と一体化させることができるので、移動通信端末装置とカバーとの一体感を持たせることができ、これによって、カバーがないときと同様の操作性を維持しつつ、衝撃があった場合の緩衝材となるとともに、柔らかい質感や高級感を出すことができる。
【０００９】
また、本発明の移動通信端末装置用カバーでは、露出される前記情報入出力部には、少なくとも、入力装置である操作手段の操作部分、及び、出力装置である表示手段の表示部分が含まれる、とすることができる。この場合には、テンキー等の操作手段の操作部分、及び、ディスプレイ等の表示手段の表示部分が露出されるカバーとなる。したがって、利用者が使用する操作手段や表示手段が露出されることにより、カバーがないときと同様の操作性を維持することができる。
【００１２】
また、本発明の移動通信端末装置用カバーでは、前記移動通信端末装置は折りたたみ回動可能であり、前記柔軟性のある部材は、前記折りたたみ回動の回動軸部を覆う部分に細長く開いた開口部を備え、前記開口部から折りたたまれた状態の前記移動通信端末装置が挿抜される、とすることができる。この場合には、移動通信端末装置の折りたたみ状態を利用して挿抜することにより、挿抜のための専用部分を小さく目立たなくすることができ、カバーがないときと同様の操作性を維持することができる。
【発明の効果】
【００１９】
以上説明したように、本発明の移動通信端末装置用カバーによれば、被覆する部分が多く、かつカバーと移動通信端末装置との空隙が少ないので、移動通信端末装置とカバーとの一体感を持たせることができる。そのため、移動通信端末装置の操作性はカバーがないときと同様に維持されつつ、緩衝材として作用するため、移動通信端末は衝撃から保護されるとともに、柔らかい質感や高級感が与えられるという効果を奏する。また、固定パネルによりカバーを固定することにより、移動通信端末装置とカバーとの一体感を持たせることができ、これによって、カバーがないときと同様の操作性を維持することができる。
【図面の簡単な説明】
【００２０】
【図１Ａ】本発明の第一の実施形態に係る携帯電話用カバー１０の正面図である。
【図１Ｂ】本発明の第一の実施形態に係る携帯電話用カバー１０の背面図である。
【図２】図１Ａ及び図１Ｂに示されるカバー１０が携帯電話９０に取付けられている様子を示す図である。
【図３】図２の携帯電話９０の変形の様子を概略的に示す図である。
【図４】図１Ａ及び図１Ｂに示されるカバー１０を取付けるときの様子を示す図である。
【図５Ａ】つめで固定する表示面パネル８１の取付けの様子を示す図である。
【図５Ｂ】つめで固定する操作面パネル８２の取付けの様子を示す図である。
【図６Ａ】ねじで固定する操作面パネルの取付けの様子を示す図である。
【図６Ｂ】ねじで固定する表示面パネルの取付けの様子を示す図である。
【図７】コネクタを取付けるときの様子を示す図である。
【図８Ａ】本発明の第二の実施形態に係る携帯電話用カバー２０の正面図である。
【図８Ｂ】本発明の第二の実施形態に係る携帯電話用カバー２０の背面図である。
【図９】図８Ａ及び図８Ｂに示されるカバー２０が携帯電話９０に取付けられている様子を示す図である。
【図１０】図８Ａ及び図８Ｂに示されるカバー２０を取付けるときの様子を示す図である。
【図１１Ａ】本発明の第三の実施形態に係る携帯電話用カバー３０の正面図である。
【図１１Ｂ】本発明の第三の実施形態に係る携帯電話用カバー３０の背面図である。
【図１２】図１１Ａ及び図１１Ｂに示されるカバー３０が携帯電話９０に取付けられている様子を示す図である。
【図１３】図１１Ａ及び図１１Ｂに示されるカバー３０を取付けるときの様子を示す図である。
【図１４Ａ】本発明の第四の実施形態に係る携帯電話用カバー４０の正面図である。
【図１４Ｂ】本発明の第四の実施形態に係る携帯電話用カバー４０の背面図である。
【図１５】図１４Ａ及び図１４Ｂに示されるカバー４０が携帯電話９０に取付けられている様子を示す図である。
【図１６】図１４Ａ及び図１４Ｂに示されるカバー４０を取付けるときの様子を示す図である。
【図１７Ａ】本発明の第五の実施形態に係る携帯電話用カバー５０の正面図である。
【図１７Ｂ】本発明の第五の実施形態に係る携帯電話用カバー５０の背面図である。
【図１７Ｃ】本発明の第五の実施形態に係る携帯電話用カバー５０の断面図である。
【図１８Ａ】図１７Ａ及び図１７Ｂに示されるカバー５０が携帯電話９０に取付けられている様子を示す図である。
【図１８Ｂ】図１７Ａ及び図１７Ｂに示されるカバー５０が携帯電話９０に取付けられた状態における断面図である。
【図１９Ａ】図１７Ａ及び図１７Ｂに示されるカバー５０が取付けられる携帯電話９０の側面図である。
【図１９Ｂ】図１７Ａ及び図１７Ｂに示されるカバー５０を取付けるときの様子を示す図である。
【発明を実施するための最良の形態】
【００２１】
以下、本発明の第一の実施形態を図１Ａ〜図５Ｂを参照しつつ、革を素材として用いた場合を例に挙げて説明する。【００２２】
図１Ａには、本発明の第一の実施形態に係る携帯電話用カバー１０（以下、単に「カバー１０」ともいう。）の正面図が示され、図１Ｂには、カバー１０の背面図が示されている。図１Ａ及び図１Ｂに示されるように、カバー１０は、正面革１１及び背面革１２の２枚の革を、縫い目１３で縫い合わされることにより作られている。更に、図１Ａに示されるように、カバー１０の正面革１１には、（ｉ）携帯電話の表示装置の表示画面を露出させるための表示面用開口部１４と、（ii）携帯電話の入力装置の操作面を露出させるための操作面用開口部１５と、（iii）携帯電話にカバー１０を取付けるための取付け用開口部１６とが形成されている。【００２３】
図２には、携帯電話９０に取付けられた状態のカバー１０が示されている。ここで、携帯電話９０は、折りたたみ可能な携帯電話であり、点線で示されている。この図に示されるように、カバー１０が取付けられた状態でも、利用者はカバー１０の表示面用開口部１４から携帯電話９０の表示画面を確認することができ、操作面用開口部１５から携帯電話９０のキー入力装置を操作することができる。【００２４】
図３には、携帯電話９０の側面図が示されている。図３に示されるように、携帯電話９０の表示面側部分９１と操作面側部分９２は、それぞれヒンジ部分９３の軸ＡＸ１及び軸ＡＸ２で回動可能であるため、携帯電話９０の操作面と表示画面が互いに向かい合う方向、及び、操作面と表示画面が互いに外側を向く方向に折りたたむことが可能である。【００２５】
このため、携帯電話９０を操作面と表示画面とが互いに外側を向く方向に折りたたむことにより、図４に示されるように、カバー１０の取付け用開口部１６を介して、携帯電話９０へカバー１０を取付け及び携帯電話９０から取外しを行うことができる。【００２６】
更に、図５Ａに示されるように、携帯電話９０の表示面側部分９１における表示面用開口部を介して露出される領域の４隅部には、つめ受け９４が設けられている。これらのつめ受け９４に、表示面パネル８１を、表示面用開口部１４の縁を覆うように取付けることができる。また、図５Ｂに示されるように、携帯電話９０の操作面側部分９２には、表示面側部分９１と同様に、４箇所につめ受け９５が設けられ、これらのつめ受け９５に、操作面パネル８２を、カバー１０の操作面用開口部１５の縁を覆うように取付けることができる。したがって、これらのパネルが、カバー１０の開口部分の縁を携帯電話９０に固定することにより、カバー１０による携帯電話９０の被覆位置がずれないように、カバー１０を携帯電話９０に固定できる。そのため、カバーの被覆位置が携帯電話９０の機能上、不可欠な部材の表面にかかるようにずれることによるその機能の低下を防止することができる。【００２７】
したがって、本発明の第一の実施形態に係る携帯電話用カバー１０によれば、入出力に必要な部分のみを露出させているため、被覆する部分を多くすることができると共に、カバーと携帯電話との空隙を減少させることができる。そのため、携帯電話とカバーとが一体であるかのような印象を利用者に与えることができ、視覚を通じて好印象を与えることもできる。また、衝撃があった場合には、カバーが緩衝材となると共に、カバーをつけた携帯電話においても、カバーがつけられていないときと同様の操作性を確保できる。【００２８】
また、皮革を用いることにより、柔らかい質感や高級感を出すことができる。この結果、利用者は好みに応じたカバーを選ぶに当たり、皮革その他の柔軟性のある部材で形成されたカバーを選択肢に含めることができるようになる。【００２９】
ここで、本実施形態においては、カバーの材質として皮革を用いることとしたが、布帛や不織布その他の柔らかい素材を用いることとしてもよい。キルティングされた布帛等を背面素材として用いると、さらに緩衝性を上げることができる。また、伸縮性のある素材を用いると、カバーと携帯電話との一体性を一層向上させることができるとともに、被覆位置からのカバーのずれを減少させやすくなる。【００３０】
また、本実施形態においては、正面革及び背面革をそれぞれ一枚としたが、二枚以上重ね合わせたり、他の素材と組み合わせたりして、正面素材又は背面素材として使用してもよいのは勿論である。なお、正面素材と背面素材とは、同じ素材を用いてもよく、異なる種類の素材を用いてもよい。さらに、正面素材と背面素材とは、上述したように、種々の方法を用いて縫い合わせてもよく、各種の接着剤を用いて接着することもできる。また、熱圧着等によって圧着してもよい。【００３１】
また、本実施形態においては、表示面パネル８１及び操作面パネル８２は、つめにより固定されることとしたが、図６Ａ及び図６Ｂに示されるように、ネジにより固定されることとしてもよい。【００３２】
また、本実施形態において、例えば、図７に示されるように、電源供給用及びデータ通信用のコネクタ６１が接続できるような開閉可能な開口部６２を設けてもよい。【００３３】
また、本実施形態において、情報入出力部は、携帯電話の表示画面及びキー入力装置であるとしたが、更にカメラを加え、カメラの光学系を露出させるように背面革１２等に開口部を設けるようにしてもよい。この場合には、更に、上述した表示面パネル８１等と同様に、この開口部の縁を固定することができるカメラ用パネルを設けることとしてもよい。【００３４】
以下、本発明の第二の実施形態を、図８Ａ〜図１０を参照しつつ説明する。【００３５】
図８Ａには、本発明の第二の実施形態に係る携帯電話用カバー２０（以下、単に「カバー２０」ともいう。）の正面図が示され、図８Ｂには、カバー２０の背面図が示されている。図８Ａ及び図８Ｂに示されるように、カバー２０は、表示面正面革２１、操作面正面革２２及び背面革２３の３枚の革を、縫い目２４及び２５で縫い合わされることにより作られている。更に、図８Ａに示されるように、カバー２０の表示面正面革２１は、携帯電話９０の表示装置の表示画面を露出させるための表示面用開口部２６を備え、操作面正面革２２は、携帯電話の入力装置の操作面を露出させるための操作面用開口部２７を備えている。また、カバー２０の表示面正面革２１と操作面正面革２２の間には、携帯電話にカバー２０を取付けるための取付け用隙間部２８がある。【００３６】
図９には、携帯電話９０に取付けられた状態のカバー２０が示されている。この図において、携帯電話９０は点線で示されている。この図９に示されるように、カバー２０が取付けられた状態でも、利用者はカバー２０の表示面用開口部２６から携帯電話９０の表示画面を確認することができ、操作面用開口部２７から携帯電話９０の入力装置を操作することができる。なお、図９においては、表示面正面革２１と操作面正面革２２とは折りたたみ部付近で一部重なっているが、この部分が重ならないようにしておくこともできる。【００３７】
携帯電話９０は、第一の実施形態の図３において説明した携帯電話であり、操作面と表示画面が互いに外側を向く方向に折りたたむことができるため、図１０に示されるように、カバー２０の取付け用隙間部２８を用いて、携帯電話９０にカバー２０を取り付け又は取外しを行うことができる。【００３８】
更に、第一の実施形態の図５Ａ及び図５Ｂで示されたのと同様に、表示面パネル８１及び操作面パネル８２を、それぞれ、カバー２０の表示面用開口部２６及び操作面用開口部２７の縁を覆うように取付ける。これにより、これらのパネルが、カバー２０の開口部分を携帯電話９０に固定することにより、前述した第一の実施形態の場合と同様に、被覆位置がずれることによる携帯電話９０の機能性の低下を招くことがない。【００３９】
したがって、本発明の第二の実施形態に係る携帯電話用カバー２０によれば、前述した第一の実施形態の場合と同様に、入出力に必要な部分のみを露出させているため、被覆する部分を多くすることができると共に、カバーと携帯電話との空隙を減少させることができる。そのため、携帯電話とカバーとが一体であるかのような印象を利用者に与えることができ、視覚を通じて好印象を与えることもできる。また、衝撃があった場合には、カバーが緩衝材となると共に、カバーをつけた携帯電話においても、カバーがつけられていないときと同様の操作性を確保できる。【００４０】
また、前述した第一の実施形態の場合と同様に、皮革その他の素材を用いることにより、柔らかい質感や高級感を出すことができる。この結果、利用者は好みに応じたカバーを選ぶに当たり、皮革その他の柔軟性のある部材で形成されたカバーを選択肢に含めることができるようになる。【００４１】
なお、本実施形態においては、前述した第一の実施形態の場合と同様の変形を施すことができる。【００４２】
以下、本発明の第三の実施形態を、図１１Ａ〜図１３を参照しつつ説明する。【００４３】
図１１Ａには、本発明の第三の実施形態に係る携帯電話用カバー３０（以下、単に「カバー３０」ともいう。）の正面図が示され、図１１Ｂには、カバー３０の背面図が示されている。図１１Ａ及び図１１Ｂに示されるように、カバー３０は、正面革３１及び背面革３２の２枚の革を、右側面部を除き、縫い目３５で縫い合わされることにより作られている。カバー３０の右側面は、携帯電話にカバー３０を取付けるための開閉可能なファスナーが縫い目で縫い合わされた取付け用ファスナー部３７となっている。また、図１１Ａに示されるように、カバー３０の正面革３１は、携帯電話の表示装置の表示画面を露出させるための表示面用開口部３３と、携帯電話の入力装置の操作面を露出させるための操作面用開口部３４とを備えている。【００４４】
図１２には、携帯電話９０に取付けられた状態のカバー３０が示されている。この図において、携帯電話９０は点線で示されている。この図１２に示されるように、カバー３０が取付けられた状態でも、利用者はカバー３０の表示面用開口部３３から携帯電話９０の表示画面を確認することができ、操作面用開口部３４から携帯電話９０の入力装置を操作することができる。【００４５】
図１３には、携帯電話９０にカバー３０を取付ける際の様子が示されている。図１３に示されるように、カバー３０では、取付け用ファスナー部３７を、スライダ３６を用いて開くことにより、そこから携帯電話９０を挿入し、カバー３０を取付けることができる。また、取り外す際にも同様に、取付け用ファスナー部３７を開くことにより、取り外しを行うことができる。【００４６】
更に、第一の実施形態の図５Ａ及び図５Ｂで示されたのと同様に、表示面パネル８１及び操作面パネル８２を、それぞれ、カバー３０の表示面用開口部３３及び操作面用開口部３４の縁を覆うように取付ける。これにより、これらのパネルが、カバー３０の開口部分を携帯電話９０に固定することにより、前述した第一の実施形態の場合と同様に、被覆位置がずれることによる携帯電話９０の機能性の低下を招くことがない。【００４７】
したがって、本発明の第三の実施形態に係る携帯電話用カバー３０によれば、前述した第一の実施形態の場合と同様に、入出力に必要な部分のみを露出させているため、被覆する部分を多くすることができると共に、カバーと携帯電話との空隙を減少させることができる。そのため、携帯電話とカバーとが一体であるかのような印象を利用者に与えることができ、視覚を通じて好印象を与えることもできる。また、衝撃があった場合には、カバーが緩衝材となると共に、カバーをつけた携帯電話においても、カバーがつけられていないときと同様の操作性を確保できる。【００４８】
また、前述した第一の実施形態の場合と同様に、皮革その他の素材を用いることにより、柔らかい質感や高級感を出すことができる。この結果、利用者は好みに応じたカバーを選ぶに当たり、皮革その他の柔軟性のある部材で形成されたカバーを選択肢に含めることができるようになる。なお、表示面用開口部３３と操作面用開口部３４との間に、これら２つの開口部をつながらないように、細長い開口部（図示せず）を設けてもよい。この細長い開口部を用いることにより、携帯電話９０を折りたたんだときにカバーがこの部分で余るのを防止し、カバーをつける前と同様の状態で折りたたむことを確実に行うことができるようになる。【００４９】
なお、本実施形態においては、操作面と表示画面が互いに向かい合う方向、及び、操作面と表示画面が互いに外側を向く方向に折りたたむことが可能な携帯電話９０を用いたが、片側にしか折りたたむことができない携帯電話を用いてもよいし、折りたたみ式でない携帯電話を用いてもよい。【００５０】
また、本実施形態においては、前述した第一及び第二の実施形態の場合と同様の変形を施すことができる。【００５１】
以下、本発明の第四の実施形態を、図１４Ａ〜図１６を参照しつつ説明する。【００５２】
図１４Ａには、本発明の第四の実施形態に係る携帯電話用カバー４０（以下、単に「カバー４０」ともいう。）の正面図が示され、図１４Ｂには、カバー４０の背面図が示されている。図１４Ａ及び図１４Ｂに示されるように、カバー４０は、正面革４１及び背面革４２の２枚の革を、低面部を除き、縫い目４７で縫い合わせることにより作られている。カバー４０の低面部は、携帯電話にカバー４０を取付けるための取付け用開口部４５があり、取付け用開口部４５は、取付け用テープ部４６の２箇所のベルクロテープを重ね合わせることにより、閉じることが可能となっている。また、図１４Ａに示されるように、カバー４０の正面革４１は、携帯電話の表示装置の表示画面を露出させるための表示面用開口部４３と、携帯電話の入力装置の操作面を露出させるための操作面用開口部４４とを備えている。【００５３】
図１５には、携帯電話９０に取付けられた状態のカバー４０が示されている。この図において、携帯電話９０は点線で示されている。この図１５に示されるように、カバー４０が取付けられた状態でも、利用者はカバー４０の表示面用開口部４３から携帯電話９０の表示画面を確認することができ、操作面用開口部４４から携帯電話９０の入力装置を操作することができる。【００５４】
図１６に示されるように、カバー４０では、取付け用テープ部４６のベルクロテープを剥がすことにより、取付け用開口部４５を利用して、携帯電話９０にカバー４０を取り付け又は取外しを行うことができる。【００５５】
更に、第一の実施形態の図５Ａ及び図５Ｂで示されたのと同様に、表示面パネル８１及び操作面パネル８２を、それぞれ、カバー４０の表示面用開口部４３及び操作面用開口部４４の縁を覆うように取付ける。これにより、これらのパネルが、カバー４０の開口部分を携帯電話９０に固定することにより、前述した第一の実施形態の場合と同様に、カバーが被覆位置からずれることによる携帯電話９０の機能性の低下を防止することができる。【００５６】
したがって、本発明の第四の実施形態に係る携帯電話用カバー４０によれば、前述した第一の実施形態の場合と同様に、入出力に必要な部分のみを露出させているため、被覆する部分を多くすることができると共に、カバーと携帯電話との空隙を減少させることができる。このため、携帯電話とカバーとが一体であるかのような印象を利用者に与えることができ、視覚を通じて好印象を与えることもできる。また、衝撃があった場合には、カバーが緩衝材となると共に、カバーをつけた携帯電話においても、カバーがつけられていないときと同様の操作性を確保できる。【００５７】
また、前述した第一の実施形態の場合と同様に、皮革製品を用いることにより、柔らかい質感や高級感を出すことができる。この結果、利用者は好みに応じたカバーを選ぶに当たり、皮革その他の上述した柔軟性のある部材で形成されたカバーを選択肢に含めることができるようになる。【００５８】
また、本実施形態においては、前述した第二及び第三の実施形態の場合と同様の変形を施すことができる。【００５９】
以下、本発明の第五の実施形態を、図１７Ａ〜図１９Ｂを参照しつつ説明する。【００６０】
図１７Ａには、本発明の第五の実施形態に係る携帯電話用カバー５０（以下、単に「カバー５０」ともいう。）の正面図が示され、図１７Ｂには、カバー５０の背面図が示されている。図１７Ａに示されるように、カバー５０は、革５１、固定用樹脂部材５３及び５４から構成され、固定用樹脂部材５３及び５４は、その一部がカバー５０に縫い付けることができる構造となっている。【００６１】
図１７Ｃには、図１７Ａの線Ａ−Ａにおける断面図が示されている。図１７Ｃに示されるように、固定用樹脂部材５４は、革５１と縫合される板状部分と、カバー５０が携帯電話に固定されるための円柱状の突起部とから構成されている。革５１はこの板状部分の端で折り返され、縫い目５２によって図１７Ｃに示す状態で固定用樹脂部材５４が革５１に留めつけられている。【００６２】
図１８Ａには、携帯電話９０に取付けられた状態のカバー５０が示されている。この図において、携帯電話９０は点線で示されている。携帯電話９０には、後述するカバー５０の取付け、取外しに必要な止めネジ９６及び９７が備えられている。この図１８Ａに示されるように、カバー５０が取付けられた状態でも、利用者は携帯電話９０の表示画面の確認と、入力装置の操作をすることができる。【００６３】
図１８Ｂには、図１８Ａにおける携帯電話９０の操作面側部分９２の線Ｂ−Ｂにおける断面図が示されている。図１８Ｂに示されるように、カバー５０は、携帯電話９０の操作面側部分９２の内部の溝８６に、固定用樹脂部材５４の突起部を挟み込むことにより、携帯電話９０に固定されている。また、携帯電話９０の表示面側部分９１においても、固定用樹脂５３及び図１９Ａに示す溝８５を用いて、同様に固定されている。【００６４】
携帯電話９０は、第一の実施形態と同様に、操作面と表示画面が互いに外側を向く方向に折りたたむことができるため、この折りたたみ形状で、止めネジ９６及び止めネジ９７を緩めた場合には、図１９Ａに示されるように、表示面側部分９１及び操作面側部分９２には、それぞれ隙間９８及び隙間９９が生じる。したがって、この隙間９８及び９９を利用して、図１９Ｂに示されるように、カバー５０の固定用樹脂部材５３及び５４を、溝８５及び８６に挟み込み、カバー５０を取付けることができる。【００６５】
したがって、本発明の第五の実施形態に係る携帯電話用カバー５０によれば、前述した第一の実施形態の場合と同様に、入出力に必要な部分のみを露出させているため、被覆する部分を多くすることができると共に、カバーと携帯電話との空隙を減少させることができ、携帯電話とカバーとの一体感を持たせることができる。そのため、衝撃があった場合には、カバーが緩衝材となると共に、カバーをつけた携帯電話においても、カバーがつけられていないときと同様の操作性を確保できる。【００６６】
また、前述した第一の実施形態の場合と同様に、皮革その他の素材を用いることにより、柔らかい質感や高級感を出すことができる。この結果、利用者は好みに応じたカバーを選ぶに当たり、皮革その他の柔軟性のある部材で形成された種々のカバーを選択肢に含めることができるようになる。【００６７】
ここで、本実施形態においては、カバーの材質として皮革を用いることとしたが、織物、編物を含む布帛や不織布等その他の柔らかい素材を用いることとしてもよい。キルティングされた布帛等を背面素材として用いると、さらに緩衝性を上げることができる。また、伸縮性のある素材を用いると、カバーと携帯電話との一体性を一層向上させることができるとともに、被覆位置からのずれを少なくすることも可能となる。【００６８】
また、本実施形態においては、正面革及び背面革をそれぞれ一枚としたが、二枚以上重ね合わせたり、他の素材と組み合わせたりして、正面素材又は背面素材として使用してもよいのは勿論である。なお、正面素材と背面素材とは、同じ素材を用いてもよく、異なる種類の素材を用いてもよい。さらに、正面素材と背面素材とは、上述したように、種々の方法を用いて縫い合わせてもよく、各種の接着剤を用いて接着することもできる。また、熱圧着等によって圧着してもよい。【００６９】
また、本実施形態において、情報入出力部は、携帯電話の表示画面及びキー入力装置であるとしたが、更にカメラを加え、カメラの光学系を露出させるように革５１に開口部を設けるようにしてもよい。この場合には、更に、前述した第一実施形態における表示面パネル８１等と同様に、この開口部の縁を固定することができるカメラ用パネルを設けることとしてもよい。
【産業上の利用可能性】
【００７０】
以上説明したように本発明の移動通信端末装置用カバーは、携帯電話をはじめとする移動通信端末装置のカバーに適用することができる。
【図１Ａ】
0004601616.tif 000002
【図１Ｂ】
0004601616.tif 000003
【図２】
0004601616.tif 000004
【図３】
0004601616.tif 000005
【図４】
0004601616.tif 000006
【図５Ａ】
0004601616.tif 000007
【図５Ｂ】
0004601616.tif 000008
【図６Ａ】
0004601616.tif 000009
【図６Ｂ】
0004601616.tif 000010
【図７】
0004601616.tif 000011
【図８Ａ】
0004601616.tif 000012
【図８Ｂ】
0004601616.tif 000013
【図９】
0004601616.tif 000014
【図１０】
0004601616.tif 000015
【図１１Ａ】
0004601616.tif 000016
【図１１Ｂ】
0004601616.tif 000017
【図１２】
0004601616.tif 000018
【図１３】
0004601616.tif 000019
【図１４Ａ】
0004601616.tif 000020
【図１４Ｂ】
0004601616.tif 000021
【図１５】
0004601616.tif 000022
【図１６】
0004601616.tif 000023
【図１７Ａ】
0004601616.tif 000024
【図１７Ｂ】
0004601616.tif 000025
【図１７Ｃ】
0004601616.tif 000026
【図１８Ａ】
0004601616.tif 000027
【図１８Ｂ】
0004601616.tif 000028
【図１９Ａ】
0004601616.tif 000029
【図１９Ｂ】
0004601616.tif 000030